(57)【要約】【課題】  ＦＧ装置を用いることなく、光ディスクの回転が停止したか否かを容易に判断することができるようにする。【解決手段】  光ピックアップのフォーカスサーボをＯＦＦにして、光ピックアップのフォーカスコイル駆動電圧を掃引して光ピックアップにより検出された光ディスクの記録面からの反射光の全加算信号の輝度信号の信号レベルを検出し、検出された輝度信号の信号レベルが最も大きくなったか否かを判別して、輝度信号の信号レベルが最も大きくなったと判別された場合、輝度信号の信号レベルが最も大きくなったときのフォーカスコイル駆動電圧を検出し、検出されたフォーカスコイル駆動電圧が略一定になったとき、光ディスクの回転が停止したと判断するようにする。【選択図】        図１
2007080333.tif 000002
【特許請求の範囲】
【請求項１】
光ディスクに情報データを記録／再生するディスク装置であって、
スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＦＦにするフォーカスサーボＯＦＦ手段と、光ピックアップのフォーカスコイル駆動電圧を掃引するフォーカスコイル駆動電圧掃引手段と、前記フォーカスコイル駆動電圧掃引手段によりフォーカスコイル駆動電圧が掃引されたとき、光ピックアップにより検出された光ディスクの記録面からの反射光の全加算信号の輝度信号の信号レベルを検出する輝度信号検出手段と、前記輝度信号検出手段により検出された輝度信号の信号レベルが最も大きくなったか否かを判別する判別手段と、前記判別手段により輝度信号の信号レベルが最も大きくなったと判別された場合、輝度信号の信号レベルが最も大きくなったときのフォーカスコイル駆動電圧を検出する駆動電圧検出手段と、前記駆動電圧検出手段により検出されたフォーカスコイル駆動電圧が略一定になったとき、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備えたことを特徴とするディスク装置。
【請求項２】
光ディスクに情報データを記録／再生するディスク装置であって、
スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＦＦにするフォーカスサーボＯＦＦ手段と、光ピックアップのフォーカスコイル駆動電圧を掃引するフォーカスコイル駆動電圧掃引手段と、前記フォーカスコイル駆動電圧掃引手段によりフォーカスコイル駆動電圧が掃引されたとき、光ピックアップにより検出された輝度信号の信号レベルを検出する輝度信号検出手段と、前記輝度信号検出手段により検出された輝度信号の信号レベルが最も大きくなったか否かを判別する判別手段と、前記判別手段により輝度信号の信号レベルが最も大きくなったと判別された場合、輝度信号の信号レベルが最も大きくなったときのフォーカスコイル駆動電圧を検出する駆動電圧検出手段と、前記駆動電圧検出手段により検出されたフォーカスコイル駆動電圧が略一定になったとき、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備えたことを特徴とするディスク装置。
【請求項３】
前記輝度信号検出手段は、光ピックアップにより検出された光ディスクの記録面からの反射光の全加算信号の輝度信号の信号レベルを検出する検出手段であることを特徴とする請求項２記載のディスク装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに情報データを記録再生するディスク装置に係り、特にＦＧ（Ｆｒｅｑｕｅｎｃｙ  Ｇｅｎｅｒａｔｏｒ）装置を用いることなく、光ディスクの回転停止を容易に判断することができるディスク装置に関する。
【背景技術】
【０００２】
一般に、光ディスクを回転させるスピンドルモータの回転速度に応じてＦＧ装置から出力されるＦＧ信号を検出して、検出されたＦＧ信号の有無に基づいて光ディスクの回転が停止したか否かを判断するようにしている。また、近年、光ディスクを回転させるスピンドルモータとして、ブラシ付き直流モータを採用したディスク装置が製品化されて市場に出荷されている。ブラシ付き直流モータの場合、直流モータの回転により発生する逆起電力を検出して、検出された逆起電力の有無に基づいて光ディスクの回転が停止したか否かを判断することができる。しかし、直流モータの回転により発生する逆起電力は、モータ駆動電圧の数％程度と非常に小さく、直流モータのロータの巻線に発生した逆起電力がブラシを介して検出されるため、検出された逆起電力にノイズが多く含まれる。そのため、ブラシ付き直流モータの場合に、光ディスクの回転が停止したか否かを判別する場合、ブラシ付き直流モータのスピンドルモータにブレーキパルスを断続的に印加して制動し、ブレーキパルスが印加されていない間に、ブラシ付き直流モータの回転により発生する逆起電力を検出するようにしている。しかし、ブラシ付き直流モータの回転を制動するために断続的にブレーキパルスを印加すると、モータの制動効率が低くなって光ディスクの回転が停止するまでに時間がかかり、また、断続的なブレーキパルスの印加によりブラシの消耗が早くなってブラシ付き直流モータの寿命が短くなるという問題点があった。
背景技術としては、フォーカスサーボＯＮ状態でトラッククロス信号の周期を検出して、検出されたトラッククロス信号の周期に基づいて逆起電力によるショートブレーキに切り換えるタイミングを決定し、そのタイミングで逆転ブレーキからショートブレーキに切り換えてスピンドルモータの回転を停止させるようにしたものがあった（例えば、特許文献１参照）。
また、光ディスクを回転させるスピンドルモータの回転速度を下げながら、ＲＦ（Ｒａｄｉｏ  Ｆｒｅｑｕｅｎｃｙ）信号を２値化した２値化信号のエッジ間隔を計測し、計測されたＲＦ信号の２値化信号のエッジ間隔が特定値になったとき、光ディスクの回転が略停止した判断して光ディスクをイジェクトするようにしたものがあった（例えば、特許文献２参照）。
【特許文献１】特開２００３−１２３３７６号公報
【特許文献２】特開２００４−２４１０３１号公報
【発明の開示】
【発明が解決しようとする課題】
【０００３】
しかしながら、背景技術で述べたもののうち前者においては、フォーカスサーボＯＮ状態でトラッククロス信号の周期を検出して、検出されたトラッククロス信号の周期に基づいて逆起電力によるショートブレーキに切り換えるタイミングを決定し、そのタイミングで逆転ブレーキからショートブレーキに切り換えてスピンドルモータの回転を停止させることができたが、トラッククロス信号の周期に基づいて逆起電力によるショートブレーキに切り換えるタイミングを決定し、そのタイミングで逆転ブレーキからショートブレーキに切り換えてスピンドルモータの回転を停止させるようにしたものであって、光ディスクが回転していない場合、トラッククロス信号を検出することができないため、光ディスクの回転が停止したか否かを判断することができないという問題点があった。
また、後者においては、光ディスクを回転させるスピンドルモータの回転速度を下げながら、ＲＦ信号を２値化した２値化信号のエッジ間隔を計測し、計測されたＲＦ信号の２値化信号のエッジ間隔が特定値になったとき、光ディスクの回転が略停止した判断して光ディスクをイジェクトすることができたが、スピンドルモータの回転速度の減速中に、光ディスクから読み出されたＲＦ信号を２値化した２値化信号のエッジ間隔を計測して、そのエッジ間隔が特定値になったとき、光ディスクの回転がほぼ停止したと判別するようにしたものであって、光ディスクが回転していない場合、光ディスクからＲＦ信号を読み出すことができないため、光ディスクの回転が停止したか否かを判断することができないという問題点があった。
本発明は、背景技術の有するこのような問題点に鑑みてなされたものであり、その目的とするところは、ＦＧ装置を用いることなく、光ディスクの回転が停止したか否かを容易に判断することができるディスク装置を提供しようとするものである。
【課題を解決するための手段】
【０００４】
上記目的を達成するため本発明においては、光ディスクに情報データを記録／再生するディスク装置であって、スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＦＦにするフォーカスサーボＯＦＦ手段と、光ピックアップのフォーカスコイル駆動電圧を掃引するフォーカスコイル駆動電圧掃引手段と、前記フォーカスコイル駆動電圧掃引手段によりフォーカスコイル駆動電圧が掃引されたとき、光ピックアップにより検出された輝度信号の信号レベルを検出する輝度信号検出手段と、前記輝度信号検出手段により検出された輝度信号の信号レベルが最も大きくなったか否かを判別する判別手段と、前記判別手段により輝度信号の信号レベルが最も大きくなったと判別された場合、輝度信号の信号レベルが最も大きくなったときのフォーカスコイル駆動電圧を検出する駆動電圧検出手段と、前記駆動電圧検出手段により検出されたフォーカスコイル駆動電圧が略一定になったとき、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備える。
前記輝度信号検出手段は、光ピックアップにより検出された光ディスクの記録面からの反射光の全加算信号の輝度信号の信号レベルを検出するようにするとよい。
これらの手段により、ＦＧ装置を用いることなく、光ディスクの回転が停止したか否かを容易に判断することができる。
【発明の効果】
【０００５】
請求項１記載の発明に係るディスク装置によれば、スピンドルモータを駆動する駆動信号をＯＦＦにし、スピンドルモータの回転を制動するブレーキ信号をＯＮにして、スピンドルモータの制動を開始し、光ピックアップのフォーカスサーボをＯＦＦにして、光ピックアップのフォーカスコイル駆動電圧を掃引して光ピックアップにより検出された光ディスクの記録面からの反射光の全加算信号の輝度信号の信号レベルを検出し、検出された輝度信号の信号レベルが最も大きくなったか否かを判別して、輝度信号の信号レベルが最も大きくなったと判別された場合、輝度信号の信号レベルが最も大きくなったときのフォーカスコイル駆動電圧を検出し、検出されたフォーカスコイル駆動電圧が略一定になったとき、光ディスクの回転が停止したと判断して、スピンドルモータの回転を制動するブレーキ信号をＯＦＦにし、スピンドルモータの制動を停止するようにしているので、光ディスクの回転中に、光ディスクの面振れに応じて変動する輝度信号の信号レベルが最も大きくなるフォーカスコイル駆動電圧が略一定になったか否かを判別して、光ディスクの回転が停止して輝度信号の信号レベルが最も大きくなるフォーカスコイル駆動電圧が略一定になったとき、光ディスクの回転が停止したことを判断することができ、ＦＧ装置を用いることなく、光ディスクの回転が停止したか否かを容易に判断することができる。
請求項２記載の発明に係るディスク装置によれば、スピンドルモータを駆動する駆動信号をＯＦＦにし、スピンドルモータの回転を制動するブレーキ信号をＯＮにして、スピンドルモータの制動を開始し、光ピックアップのフォーカスサーボをＯＦＦにして、光ピックアップのフォーカスコイル駆動電圧を掃引して光ピックアップにより検出された輝度信号の信号レベルを検出し、検出された輝度信号の信号レベルが最も大きくなったか否かを判別して、輝度信号の信号レベルが最も大きくなったと判別された場合、輝度信号の信号レベルが最も大きくなったときのフォーカスコイル駆動電圧を検出し、検出されたフォーカスコイル駆動電圧が略一定になったとき、光ディスクの回転が停止したと判断して、スピンドルモータの回転を制動するブレーキ信号をＯＦＦにし、スピンドルモータの制動を停止するようにしているので、光ディスクの回転中に、光ディスクの面振れに応じて変動する輝度信号の信号レベルが最も大きくなるフォーカスコイル駆動電圧が略一定になったか否かを判別して、光ディスクの回転が停止して輝度信号の信号レベルが最も大きくなるフォーカスコイル駆動電圧が略一定になったとき、光ディスクの回転が停止したことを判断することができ、ＦＧ装置を用いることなく、光ディスクの回転が停止したか否かを容易に判断することができる。
請求項３記載の発明に係るディスク装置によれば、光ピックアップにより検出された光ディスクの記録面からの反射光の全加算信号の輝度信号の信号レベルを検出するようにしているので、光ディスクの回転中に、光ディスクの面振れに応じて変動する輝度信号の信号レベルが最も大きくなるフォーカスコイル駆動電圧が略一定になったか否かを判別することができ、光ディスクの回転が停止して輝度信号の信号レベルが最も大きくなるフォーカスコイル駆動電圧が略一定になった場合、光ディスクの回転が停止したことを容易に判断することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射してその反射光を検出し、光ディスク２に記録された情報データを読み出す光ピックアップ３と、光ディスク２を回転させるスピンドルモータ４と、スピンドルモータ４の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３の４分割光検出器（図示せず）により検出された信号をそれぞれ処理して、光ディスク２から読み出された情報データのＲＦ信号、トラッキング誤差信号、フォーカス誤差信号、光ディスク２の記録面から検出された反射光の全加算信号の輝度信号を出力する信号処理回路１０と、信号処理回路１０から出力された情報データのＲＦ信号を増幅するＲＦ増幅回路１１と、信号処理回路１０から出力された光ディスク２の記録面からの反射光の全加算信号の輝度信号の信号レベルを検出する輝度信号検出回路１２と、光ピックアップ３のフォーカスコイル（図示せず）を駆動するフォーカスサーボ回路９から出力されたフォーカスコイル駆動電圧を検出する駆動電圧検出回路１３と、ディスク装置１のシステム全体を制御するマイコン１４とで構成されている。
以上のように構成されたディスク装置について、以下その動作について説明する。
光ディスク２の記録／再生が終了すると、マイコン１４は、スピンドルサーボ回路５に制御信号を送出して、スピンドルモータ４を駆動する駆動信号をＯＦＦにし、スピンドルモータ４の回転を制動するブレーキ信号をＯＮにして、スピンドルモータ４の制動を開始し（図２（ａ）参照）、フォーカスサーボ回路９に制御信号を送出して、光ピックアップ３のフォーカスサーボをＯＦＦにする。
スピンドルモータ４の回転の制動を開始すると、マイコン１４は、光ピックアップ３の対物レンズ（図示せず）を光ディスク２の記録面に垂直な方向に上下動させるフォーカスコイル（図示せず）を駆動するフォーカスコイル駆動電圧を掃引して、信号処理回路１０から出力された輝度信号の信号レベルを輝度信号検出回路１２により繰り返して検出し（図２（ｂ）参照）、輝度信号の信号レベルが最も大きくなったか否かを判別する。輝度信号検出回路１２により検出された輝度信号の信号レベルが最も大きくなった場合、マイコン１４は、輝度信号の信号レベルが最も大きくなったときのフォーカスサーボ回路９から出力されたフォーカスコイル駆動電圧を駆動電圧検出回路１３により検出する。そして、光ピックアップのフォーカスコイルを駆動するフォーカスコイル駆動電圧を繰り返して掃引し、駆動電圧検出回路１３により繰り返して検出されたフォーカスコイル駆動電圧が略一定になった場合、マイコン１４は、光ディスク２の回転が停止したと判断し、スピンドルサーボ回路９に制御信号を送出して、スピンドルモータ４の回転を制動するブレーキ信号をＯＦＦにする（図２（ａ）参照）。これにより、光ディスクの回転中に、光ディスクの面振れに応じて変動する輝度信号の信号レベルが最も大きくなるフォーカスコイル駆動電圧が略一定になったか否かを判別して、光ディスクの回転が停止して輝度信号の信号レベルが最も大きくなるフォーカスコイル駆動電圧が略一定になったとき、光ディスクの回転が停止したことを判断することができ、ＦＧ装置を用いることなく、光ディスクの回転が停止したか否かを容易に判断することができる。
また、輝度信号検出回路１２により検出された輝度信号の信号レベルが最も大きくなるフォーカスコイル駆動電圧が略一定になっていない場合、マイコン１４は、フォーカスサーボ回路９に制御信号を送出して、光ピックアップ３のフォーカスコイル（図示せず）を駆動するフォーカスコイル駆動電圧を繰り返して掃引し、輝度信号の信号レベルが最も大きくなるフォーカスコイル駆動電圧が略一定になった場合、光ディスク２の回転が停止したと判断し、スピンドルサーボ回路５に制御信号を送出して、スピンドルモータ４の回転を制動するブレーキ信号をＯＦＦにする（図２（ａ）参照）。これにより、光ディスクの回転中に、光ディスクの面振れに応じて変動する輝度信号の信号レベルが最も大きくなるフォーカスコイル駆動電圧が略一定になったか否かを判別して、光ディスクの回転が停止して輝度信号の信号レベルが最も大きくなるフォーカスコイル駆動電圧が略一定になったとき、光ディスクの回転が停止したことを判断することができ、ＦＧ装置を用いることなく、光ディスクの回転が停止したか否かを容易に判断することができる。
また、図３の本発明の一実施例のディスク装置の動作を示すフローチャートを基に説明する。
光ディスクの記録／再生が終了すると、ステップＳ１からステップＳ２に進み、ステップＳ２で、スピンドルモータを駆動する駆動信号がＯＦＦにされ、スピンドルモータの回転を制動するブレーキ信号がＯＮにされて、フォーカスサーボがＯＦＦにされ、ステップＳ３に進む。
ステップＳ３で、光ピックアップのフォーカスコイルを駆動するフォーカスコイル駆動電圧が掃引されて、光ディスクの記録面からの反射光の全加算信号の輝度信号の信号レベルが検出され、ステップＳ４に進む。
ステップＳ４で、光ディスクの記録面からの反射光の全加算信号の輝度信号の信号レベルが最も大きくなったか否かが判断され、光ディスクの記録面からの反射光の全加算信号の輝度信号の信号レベルが最も大きくなった場合、ステップＳ５に進み、光ディスクの記録面からの反射光の全加算信号の輝度信号の信号レベルが最も大きくなっていない場合、ステップＳ３に戻って、ステップＳ３からのステップを繰り返す。
ステップＳ５で、光ディスクの記録面からの反射光の全加算信号の輝度信号の信号レベルが最も大きくなったときのフォーカスコイル駆動電圧が検出されて、ステップＳ６に進む。
ステップＳ６で、輝度信号の信号レベルが最も大きくなったときのフォーカスコイル駆動電圧が略一定になったか否かが判断され、輝度信号の信号レベルが最も大きくなったときのフォーカスコイル駆動電圧が略一定になった場合、ステップＳ７に進み、輝度信号の信号レベルが最も大きくなったときのフォーカスコイル駆動電圧が略一定になっていない場合、ステップＳ３に戻って、ステップＳ３からのステップを繰り返す。
ステップＳ７で、光ディスクの回転が停止したと判断され、スピンドルモータの回転を制動するブレーキ信号がＯＦＦにされて、ステップＳ８に進んで処理を終了する。
以上、本発明を実施するための最良の形態について詳述したが、本発明はこれに限定されるものではなく、当業者の通常の知識の範囲内でその変形や改良が可能である。例えば、記録面が１層の光ディスクの回転停止を判断することについて説明したが、記録面が２層の光ディスクの回転停止を判断することができることはいうまでもない。
また、光ディスクの回転が停止したと判断して、スピンドルモータの回転を瀬移動するブレーキ信号をＯＦＦにした後、スピンドルモータの回転により発生する逆起電力を検出して、検出された逆起電力の有無に基づいて光ディスクの回転停止を確認するようにしてもよい。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  信号処理回路
１１  ＲＦ増幅回路
１２  輝度信号検出回路
１３  駆動電圧検出回路
１４  マイコン
【図１】
2007080333.tif 000003
【図２】
2007080333.tif 000004
【図３】
2007080333.tif 000005